(57)【要約】【課題】通水音がトイレルームへ漏れることを抑制することができる横引排水配管洗浄ユニットおよび便器システムを提供することを目的とする。【解決手段】勾配が設けられ複数の陶器製の便器のそれぞれの排水口に接合される横引排水配管に接続される横引排水配管洗浄ユニットであって、前記複数の便器のうちで前記勾配の上流側に設置される便器と前記横引排水配管との接合部よりも上流側に設けられ前記複数の便器のうちのいずれかの背面側に設置されるタンクであって、水を貯留可能なタンクを備えたことを特徴とする横引排水配管洗浄ユニットが提供される。【選択図】図１
2015021279.tif 000002
【特許請求の範囲】
【請求項１】
勾配が設けられ複数の陶器製の便器のそれぞれの排水口に接合される横引排水配管に接続される横引排水配管洗浄ユニットであって、
前記複数の便器のうちで前記勾配の上流側に設置される便器と前記横引排水配管との接合部よりも上流側に設けられ前記複数の便器のうちのいずれかの背面側に設置されるタンクであって、水を貯留可能なタンクを備えたことを特徴とする横引排水配管洗浄ユニット。
【請求項２】
前記タンクは、下部に設けられ開閉可能な排水部を有し、前記排水部が開くと前記横引排水配管に前記水を供給し、
前後方向に対して垂直な平面上に前記排水部を投影して形成される投影領域は、前記平面上に前記便器を投影して形成される投影領域に含まれることを特徴とする請求項１記載の横引排水配管洗浄ユニット。
【請求項３】
前後方向に対して垂直な平面上に前記タンクの満水時の喫水面を投影して形成される投影領域は、前記平面上に前記便器を投影して形成される投影領域に含まれることを特徴とする請求項１または２に記載の横引排水配管洗浄ユニット。
【請求項４】
複数の陶器製の便器と、
勾配が設けられ前記複数の便器のそれぞれの排水口に接合された横引排水配管と、
請求項１〜３のいずれか１つに記載の横引排水配管洗浄ユニットと、
前記複数の便器のそれぞれと前記タンクとに連結され水を供給する給水配管と、
を備えたことを特徴とする便器システム。
【請求項５】
前記タンクが前記背面側に設けられた前記便器の左右両側の少なくともいずれかに設けられ取り外し可能なパネルをさらに備え、
前記パネルが取り外されると、前記タンクが前記便器の側からメンテナンス可能とされてなる請求項４記載の便器システム。
【発明の詳細な説明】
【技術分野】
【０００１】
本発明の態様は、一般的に、例えば小便器などが連立された空間における横引排水配管を洗浄する横引排水配管洗浄ユニットおよび便器システムに関する。
【背景技術】
【０００２】
例えば、小便器の横引排水配管内に洗浄水を放水することにより横引排水配管内の異物を除去する小便器システムがある（特許文献１）。特許文献１に記載された小便器システムでは、タンクが小便器配管の小便器より上流側に設けられている。タンク内の洗浄水は、定期的に横引排水配管内に供給される。
【０００３】
しかし、タンクが設けられた場合には、洗浄水が横引排水配管に供給される際に、比較的大きい音が生ずることがある。特許文献１に記載された小便器システムでは、タンクが小便器と連接して配置されている。そのため、洗浄水が横引排水配管に供給される際の通水音がトイレルームに比較的漏れやすい。
【０００４】
例えば、便器が設置された壁面の背面側にタンクが設けられた場合において、壁面の背面側からトイレルームへ通水音が漏れると、トイレルーム内の使用者は、壁面の背面側で漏水しているのではないか、あるいは洗浄水が小便器から溢れ出すのではないかなどの不安感や嫌悪感をおぼえるおそれがある。この点においては、改善の余地がある。
【０００５】
また、例えばトイレルームの管理者やトイレルーム内の使用者などが漏水の可能性についての問い合わせを施工業者に行うおそれがある。漏水の可能性についての問い合わせがあると、施工業者が漏水の有無の確認を行う必要がある。この点においては、改善の余地がある。
【先行技術文献】
【特許文献】
【０００６】
【特許文献１】特開２０１０−１２１２７６号公報
【発明の概要】
【発明が解決しようとする課題】
【０００７】
本発明は、かかる課題の認識に基づいてなされたものであり、通水音がトイレルームへ漏れることを抑制することができる横引排水配管洗浄ユニットおよび便器システムを提供することを目的とする。
【課題を解決するための手段】
【０００８】
第１の発明は、勾配が設けられ複数の陶器製の便器のそれぞれの排水口に接合される横引排水配管に接続される横引排水配管洗浄ユニットであって、前記複数の便器のうちで前記勾配の上流側に設置される便器と前記横引排水配管との接合部よりも上流側に設けられ前記複数の便器のうちのいずれかの背面側に設置されるタンクであって、水を貯留可能なタンクを備えたことを特徴とする横引排水配管洗浄ユニットである。
【０００９】
この横引排水配管洗浄ユニットによれば、洗浄水が横引排水配管に供給される際の通水音を抑制することができる。また、タンクに水が供給される際の音を抑制することができる。陶器の防音性能は、例えば合金、スレート、樹脂および木などの防音性能よりも優れている。この横引排水配管洗浄ユニットでは、タンクは、陶器製の便器の背面側に設けられている。そのため、洗浄水が横引排水配管に供給される際の通水音がトイレルームに漏れることを抑制することができる。また、タンクに水が供給される際の音を抑制することができる。
【００１０】
陶器製の便器は、一定の厚みを有する。そのため、洗浄水が横引排水配管に供給される際の通水音がトイレルームに漏れることをより抑制することができる。また、タンクに水が供給される際の音をより抑制することができる。
【００１１】
第２の発明は、第１の発明において、前記タンクは、下部に設けられ開閉可能な排水部を有し、前記排水部が開くと前記横引排水配管に前記水を供給し、前後方向に対して垂直な平面上に前記排水部を投影して形成される投影領域は、前記平面上に前記便器を投影して形成される投影領域に含まれることを特徴とする横引排水配管洗浄ユニットである。
【００１２】
この横引排水配管洗浄ユニットによれば、洗浄水が横引排水配管に供給される際の通水音をより抑制することができる。すなわち、洗浄水が横引排水配管に供給される際には、排水部において比較的大きい音が生ずることがある。この横引排水配管洗浄ユニットでは、比較的大きい音の発生源の１つとしての排水部を前後方向に対して垂直な平面上に投影して形成される投影領域が、前後方向に対して垂直な平面上に便器を投影して形成される投影領域に含まれる。そのため、陶器製の便器の防音性能により、洗浄水が横引排水配管に供給される際の通水音をより抑制し、その通水音がトイレルームに漏れることをより抑制することができる。
【００１３】
第３の発明は、第１または２の発明において、前後方向に対して垂直な平面上に前記タンクの満水時の喫水面を投影して形成される投影領域は、前記平面上に前記便器を投影して形成される投影領域に含まれることを特徴とする横引排水配管洗浄ユニットである。
【００１４】
この横引排水配管洗浄ユニットによれば、タンクに水が供給される際の音（貯水音）をより抑制することができる。すなわち、タンクに水が供給される際に、比較的大きい音がすることがある。この横引排水配管洗浄ユニットでは、比較的大きい音の発生源の１つとしての喫水面を前後方向に対して垂直な平面上に投影して形成される投影領域が、前後方向に対して垂直な平面上に便器を投影して形成される投影領域に含まれる。そのため、陶器製の便器の防音性能により、タンクに水が供給される際の音をより抑制し、その音がトイレルームに漏れることをより抑制することができる。
【００１５】
第４の発明は、複数の陶器製の便器と、勾配が設けられ前記複数の便器のそれぞれの排水口に接合された横引排水配管と、請求項１〜３のいずれか１つに記載の横引排水配管洗浄ユニットと、前記複数の便器のそれぞれと前記タンクとに連結され水を供給する給水配管と、を備えたことを特徴とする便器システムである。
【００１６】
この便器システムによれば、洗浄水が横引排水配管に供給される際の通水音を抑制することができる。また、タンクに水が供給される際の音を抑制することができる。陶器の防音性能は、例えば合金、スレート、樹脂および木などの防音性能よりも優れている。この便器システムでは、タンクは、陶器製の便器の背面側に設けられている。そのため、洗浄水が横引排水配管に供給される際の通水音がトイレルームに漏れることを抑制することができる。また、タンクに水が供給される際の音を抑制することができる。
【００１７】
第５の発明は、第４の発明において、前記タンクが前記背面側に設けられた前記便器の左右両側の少なくともいずれかに設けられ取り外し可能なパネルをさらに備え、前記パネルが取り外されると、前記タンクが前記便器の側からメンテナンス可能とされてなる便器システムである。
【００１８】
この便器システムによれば、例えば施工業者等は、パネルを取り外すことにより、便器の側からタンクのメンテナンスをより簡単に行うことができる。そのため、施工性に優れた便器システムおよび横引排水配管洗浄ユニットを提供することができる。
【発明の効果】
【００１９】
本発明の態様によれば、通水音がトイレルームへ漏れることを抑制することができる横引排水配管洗浄ユニットおよび便器システムが提供される。
【図面の簡単な説明】
【００２０】
【図１】本発明の実施の形態にかかる横引排水配管洗浄ユニットを備える便器システムを表す模式的平面図である。
【図２】本実施形態にかかる横引排水配管洗浄ユニットの要部構成を例示するブロック図である。
【図３】本実施形態にかかる横引排水配管洗浄ユニットの具体例を例示する模式的平面図である。
【図４】各材料の防音性能の例を表すグラフ図である。
【発明を実施するための形態】
【００２１】
以下、本発明の実施の形態について図面を参照しつつ説明する。なお、各図面中、同様の構成要素には同一の符号を付して詳細な説明は適宜省略する。  
図１は、本発明の実施の形態にかかる横引排水配管洗浄ユニットを備える便器システムを表す模式的平面図である。  
図２は、本実施形態にかかる横引排水配管洗浄ユニットの要部構成を例示するブロック図である。  
図１（ａ）は、本実施形態にかかる便器システムを正面から眺めた模式的平面図である。図１（ｂ）は、本実施形態にかかる便器システムを右側方から眺めた模式的平面図である。
【００２２】
本発明の実施の形態にかかる便器システム１０は、ライニングユニット２０と、給水配管１３と、小便器１５と、横引排水配管１６と、洗浄フラッシュバルブ１７と、横引排水配管洗浄ユニット１００と、を備える。
【００２３】
ライニングユニット２０は、トイレ室の壁面３０に設置されている。小便器１５は、ライニングユニット２０の前面２１に取り付けられている。小便器１５は、陶器として作製されている。なお、本実施形態にかかる便器システム１０は、小便器１５を備えることに限定されるわけではない。本実施形態にかかる便器システム１０は、小便器１５の代わりに大便器を備えていてもよい。以下の説明では、便器システム１０が小便器１５を備える場合を例に挙げる。  
給水配管１３と、横引排水配管１６と、洗浄フラッシュバルブ１７と、横引排水配管洗浄ユニット１００と、は、ライニングユニット２０の内部に設けられている。
【００２４】
本実施形態にかかる便器システム１０では、複数の小便器１５が連立して配置されている。複数の小便器１５のそれぞれの排水口は、図示しないフランジ及び配管部材を介して横引排水配管１６と接合部１８において接合されている。横引排水配管１６と小便器１５との接合部１８よりも上流側には、横引排水配管洗浄ユニット１００が設けられている。
【００２５】
図１（ａ）および図１（ｂ）に表した便器システム１０では、横引排水配管洗浄ユニット１００は、複数の小便器１５のうちで最右端に設けられた小便器１５の後方（背面側）に設けられている。ただし、横引排水配管洗浄ユニット１００の設置位置は、これだけに限定されず、複数の小便器１５のうちで最右端に設けられた小便器１５以外の小便器１５の背面側であってもよい。例えば、横引排水配管洗浄ユニット１００は、複数の小便器１５のうちで最右端から１つ左側の小便器１５の背面側に設けられていてもよい。
【００２６】
本願明細書において、例えばトイレ室の床面などに対して水平な方向であって、小便器１５の正面に立った使用者からみて手前側を「前方」とし、奥側を「後方」あるいは「背面側」とする。例えばトイレ室の床面などに対して水平な方向であって、小便器１５の正面に立った使用者からみて右側を「右側方」とし、左側を「左側方」とする。例えばトイレ室の床面などに対して垂直な鉛直方向であって、小便器１５の正面に立った使用者からみて上側を「上方」とし、下側を「下方」とする。
【００２７】
横引排水配管洗浄ユニット１００は、電磁弁１０１と、制御部１０３と、タンク１０５と、トラップ配管１１０と、通気管１２０と、接続配管１３０と、を有する。給水配管１３は、タンク１０５および複数の小便器１５と連結しており、タンク１０５および複数の小便器１５のそれぞれに水を供給することが可能である。複数の小便器１５のそれぞれには、洗浄フラッシュバルブ１７が設けられている。
【００２８】
横引排水配管１６には、勾配が設けられている。図１（ａ）に表した横引排水配管１６では、複数の小便器１５のうちで最右端に設けられた小便器１５から最左端に設けられた小便器１５へ向かって下降する勾配が設けられている。そのため、図１に表した矢印Ａ１のように、小便器１５から供給された洗浄水は、複数の小便器１５のうちで最右端に設けられた小便器１５から最左端に設けられた小便器１５へ向かって流れる。なお、横引排水配管１６の勾配の方向は、これだけに限定されるわけではない。
【００２９】
横引排水配管１６の勾配を比較的大きく確保することができれば、異物や尿は、横引排水配管１６の底面に残り難い。また、尿由来の堆積物は、積層し難い。しかし、排水口が比較的低い位置に設けられた小便器１５を床上の横引排水配管１６で連接し、連接数をできるだけ多く確保するためには、所定以上の勾配を取ることは通常困難である。一般的な横引排水配管１６では、１／５０又は１／１００の勾配が設けられる。
【００３０】
図１（ａ）および図１（ｂ）に表した便器システム１０では、横引排水配管洗浄ユニット１００は、連接して配置された複数の小便器１５のうちで最も上流側に設置された小便器１５の背面側に設けられている。具体的には、タンク１０５は、連接して配置された複数の小便器１５のうちで最も上流側に設置された小便器１５の背面側に設けられている。
【００３１】
ただし、横引排水配管洗浄ユニット１００およびタンク１０５のそれぞれの設置位置は、これだけに限定されず、連接して配置された複数の小便器１５のうちで最も上流側に設置された小便器１５以外の小便器１５の背面側であってもよい。例えば、タンク１０５は、複数の小便器１５のうちで最右端から１つ左側の小便器１５の背面側に設けられていてもよい。
【００３２】
また、横引排水配管洗浄ユニット１００は、連接して配置された複数の小便器１５のうちで最も上流側に設置された小便器１５と横引排水配管１６との接合部１８よりも上流側に設けられている。具体的には、タンク１０５は、連接して配置された複数の小便器１５のうちで最も上流側に設置された小便器１５と横引排水配管１６との接合部１８よりも上流側に設けられている。
【００３３】
通常の小便器１５の使用時においては、所定のタイミングで洗浄フラッシュバルブ１７が開き、小便器１５のボウル面が洗浄される。このとき、電磁弁１０１は閉じた状態である。所定のタイミングは、例えば予め設定された時間間隔が経過するタイミングである。あるいは、所定のタイミングは、小便器１５の使用頻度をカウントして一定のカウントに達するタイミングであってもよい。あるいは、所定のタイミングは、小便器１５の１回の使用毎のタイミングであってもよい。
【００３４】
一方で、横引排水配管１６の内部を洗浄する場合には、例えば、制御部１０３は、予め設定された設定時刻になると電磁弁１０１を開く。すると、給水配管１３からタンク１０５に水が供給される。タンク１０５に一定量の水が溜まると、ボールタップ１０５ａ（図２参照）のフロートが上がり、電磁弁１０１が閉じる。タンク１０５の容量は、例えば約５〜９リットル程度である。なお、タンク１０５内の水位の検出および制御については、図示しないフロートスイッチを利用してもよい。
【００３５】
これにより、給水配管１３からタンク１０５への給水が停止する。給水が停止した後に、制御部１０３が洗浄レバー１０５ｂ（図２参照）を自動開閉する信号を出すと、タンク１０５に設けられた排水弁１０５ｃ（図２参照）が開く。ここで、図２に表したように、タンク１０５の下部には、排水部１０５ｄが設けられている。排水部１０５ｄは、排水弁１０５ｃにより開閉可能とされている。つまり、排水部１０５ｄは、排水弁１０５ｃが開くと開放され、排水弁１０５ｃが閉じると閉止される。
【００３６】
排水弁１０５ｃが開くと、タンク１０５に溜められた洗浄水は、排水部１０５ｄを通り横引排水配管１６に供給される。この洗浄水の放水によって、横引排水配管１６の内部に滞留している異物を押し流すことができる。洗浄水の放水の回数は、横引排水配管洗浄ユニット１００の設置現場の状況に応じて設定可能であり、例えば約１〜１２回／日程度である。
【００３７】
しかし、タンク１０５に溜められた洗浄水が横引排水配管１６に供給される際に、比較的大きい音がすることがある。タンク１０５の設置位置によっては、洗浄水が横引排水配管１６に供給される際の通水音が、比較的大きい音としてトイレルームに漏れることがある。例えば、便器システム１０を正面からみたときに、タンク１０５が左右方向および上下方向の少なくともいずれかにおいて小便器１５と連接して配置されていると、洗浄水が横引排水配管１６に供給される際の通水音が、比較的大きい音としてトイレルームに漏れる。
【００３８】
また、給水配管１３からタンク１０５に水が供給される際に、比較的大きい音がすることがある。例えば、 給水配管１３からタンク１０５に供給された水がタンク１０５に貯留された水（貯留水）と当たると、比較的大きい音がすることがある。タンク１０５の設置位置によっては、給水配管１３からタンク１０５に水が供給される際の音が、比較的大きい音としてトイレルームに漏れることがある。例えば、便器システム１０を正面からみたときに、タンク１０５が左右方向および上下方向の少なくともいずれかにおいて小便器１５と連接して配置されていると、給水配管１３からタンク１０５に水が供給される際の音が、比較的大きい音としてトイレルームに漏れる。
【００３９】
これに対して、本実施形態にかかる便器システム１０では、タンク１０５は、連接して配置された複数の小便器１５のうちのいずれかの小便器１５の背面側に設けられている。
【００４０】
これによれば、洗浄水が横引排水配管１６に供給される際の通水音を抑制することができる。また、給水配管１３からタンク１０５に水が供給される際の音を抑制することができる。  
すなわち、本発明者の得た知見によれば、陶器の防音性能は、例えば合金、スレート、樹脂および木などの防音性能よりも優れている。本実施形態では、タンク１０５は、陶器製の小便器１５の背面側に設けられている。そのため、洗浄水が横引排水配管１６に供給される際の通水音がトイレルームに漏れることを抑制することができる。また、給水配管１３からタンク１０５に水が供給される際の音を抑制することができる。  
陶器製の小便器１５は、一定の厚みを有する。そのため、洗浄水が横引排水配管１６に供給される際の通水音がトイレルームに漏れることをより抑制することができる。また、給水配管１３からタンク１０５に水が供給される際の音をより抑制することができる。
【００４１】
図１（ａ）および図１（ｂ）に表したように、タンク１０５が背面側に設けられた小便器１５の左右両側のうちの少なくともいずれかには、パネル２３が設けられている。言い換えれば、タンク１０５が設けられた位置の前方に設置された小便器１５の左右両側のうちの少なくともいずれかには、パネル２３が設けられている。
【００４２】
パネル２３は、ライニングユニット２０の前面２１の一部を形成する。パネル２３は、ライニングユニット２０から取り外し可能とされてなる。図１（ａ）に表した便器システム１０では、パネル２３は、タンク１０５が背面側に設けられた小便器１５の左右両側に設けられている。ただし、パネル２３の設置形態は、これだけに限定されない。パネル２３は、タンク１０５が背面側に設けられた小便器１５の左側にだけ設けられていてもよい。あるいは、パネル２３は、タンク１０５が背面側に設けられた小便器１５の右側にだけ設けられていてもよい。
【００４３】
これによれば、例えば施工業者等は、パネル２３をライニングユニット２０から取り外すことにより、タンク１０５のメンテナンスをより簡単に行うことができる。そのため、施工性に優れた便器システム１０および横引排水配管洗浄ユニット１００を提供することができる。
【００４４】
図２に表したように、電磁弁１０１とタンク１０５との間の流路に殺菌水生成装置１０２が設けられていてもよい。殺菌水生成装置１０２として、例えば電解装置などが用いられる。例えば、殺菌水生成装置１０２として電解装置が用いられる場合において、制御部１０３は、電磁弁１０１を開くと同時に殺菌水生成装置１０２の電極間に通電を行うことで殺菌力を持った殺菌水を生成しタンク１０５に溜める。タンク１０５に一定量の殺菌水が溜まると、ボールタップ１０５ａ（図２参照）のフロートが上がり、電磁弁１０１が閉じる。これとともに、制御部１０３は、電極間への通電を停止する。次に、制御部１０３は、タンク１０５の排水弁１０５ｃを開き、殺菌水を横引排水配管１６に供給する。これにより、横引排水配管１６の内面を殺菌水でコーティングすることができる。また、残存していた菌を死滅させることができ、再び使用者が来るまでの間に汚れの元が形成されることを阻止することができる。
【００４５】
次に、本実施形態にかかる横引排水配管洗浄ユニット１００の具体例について、図面を参照しつつ説明する。  
図３は、本実施形態にかかる横引排水配管洗浄ユニットの具体例を例示する模式的平面図である。  
図３（ａ）は、本実施形態にかかる横引排水配管洗浄ユニットを後方から眺めた模式的平面図である。図３（ｂ）は、本実施形態にかかる横引排水配管洗浄ユニットを右側方から眺めた模式的平面図である。なお、説明の便宜上、図３（ａ）および図３（ｂ）に表したタンク１０５においては、内部の構造の一部を実線で表している。
【００４６】
本具体例にかかる横引排水配管洗浄ユニット１００は、タンク１０５と、トラップ配管１１０と、通気管１２０と、接続配管１３０と、を有する。  
トラップ配管１１０の一端は、タンク１０５の下部に接続されている。トラップ配管１１０の他端は、トラップ配管接続部１１１において接続配管１３０に接続されている。トラップ配管１１０として、例えば「ＶＰ４０Ａ（ＪＩＳ規格）」などが用いられる。
【００４７】
図３（ａ）に表したように、トラップ配管１１０は、屈曲部を有し、トラップ配管１１０自身の内部において封水を形成することができる。これにより、トラップ配管１１０は、例えば横引排水配管１６などから悪臭や害虫類などがトイレ室などに侵入することを防止することができる。
【００４８】
通気管１２０の一端は、通気管接続部１２１において接続配管１３０に接続されている。通気管１２０の他端は、図示しない通気立管を通り、例えば建屋の屋上において屋外に開放されている。通気管１２０は、例えば横引排水配管１６などからの悪臭を屋外に放出したり、あるいは屋外から空気を横引排水配管１６に導入することができる。
【００４９】
接続配管１３０の一端は、接続配管接続部１３４において横引排水配管１６に接続されている。接続配管１３０の他端は、掃除口１３１において開放されている。横引排水配管１６などの清掃時以外の通常の使用状態では、掃除口１３１は、蓋１４１により閉じられている。作業者は、例えば高圧洗浄器を用いて横引排水配管１６のメンテナンス作業を行う場合には、掃除口１３１に取り付けられた蓋１４１を外し、高圧洗浄器を掃除口１３１から挿入する。これにより、横引排水配管１６のメンテナンス作業が行われる。接続配管１３０として、例えば「ＶＰ５０Ａ（ＪＩＳ規格）」などが用いられる。
【００５０】
横引排水配管１６としては、例えば「ＶＰ６５Ａ（ＪＩＳ規格）」〜「ＶＰ１００Ａ（ＪＩＳ規格）」などが用いられる。横引排水配管１６は、横引排水配管洗浄ユニット１００の設置現場の状況に応じて異なる。
【００５１】
図３（ａ）に表したように、後方あるいは前方からみたときに、タンク１０５の排水部１０５ｄは、小便器１５の内側に配置される。言い換えれば、前後方向に対して垂直な平面上に排水部１０５ｄを投影して形成される投影領域は、前後方向に対して垂直な平面上に小便器１５を投影して形成される投影領域に含まれる。
【００５２】
これによれば、洗浄水が横引排水配管１６に供給される際の通水音をより抑制することができる。すなわち、洗浄水が横引排水配管１６に供給される際には、排水部１０５ｄにおいて比較的大きい音が生ずることがある。本具体例では、比較的大きい音の発生源の１つとしての排水部１０５ｄを前後方向に対して垂直な平面上に投影して形成される投影領域が、前後方向に対して垂直な平面上に小便器１５を投影して形成される投影領域に含まれる。そのため、陶器製の小便器１５の防音性能により、洗浄水が横引排水配管１６に供給される際の通水音をより抑制し、その通水音がトイレルームに漏れることをより抑制することができる。
【００５３】
図３（ａ）に表したように、後方あるいは前方からみたときに、満水時の喫水面１０７の位置は、小便器１５の内側に配置される。言い換えれば、前後方向に対して垂直な平面上に満水時の喫水面１０７を投影して形成される投影領域は、前後方向に対して垂直な平面上に小便器１５を投影して形成される投影領域に含まれる。
【００５４】
本願明細書において、「満水時の喫水面」とは、異常状態ではなく通常状態においてタンク１０５への水の供給が停止されたときの水面をいうものとする。
【００５５】
これによれば、給水配管１３からタンク１０５に水が供給される際の音をより抑制することができる。すなわち、給水配管１３からタンク１０５に水が供給される際に、比較的大きい音がすることがある。本具体例では、比較的大きい音の発生源の１つとしての喫水面１０７を前後方向に対して垂直な平面上に投影して形成される投影領域が、前後方向に対して垂直な平面上に小便器１５を投影して形成される投影領域に含まれる。そのため、陶器製の小便器１５の防音性能により、給水配管１３からタンク１０５に水が供給される際の音をより抑制し、その音がトイレルームに漏れることをより抑制することができる。
【００５６】
図４は、各材料の防音性能の例を表すグラフ図である。  
図４に表したグラフ図の横軸は、周波数（ヘルツ：Ｈｚ）を表す。図４に表したグラフ図の縦軸は、吸音率（任意単位：ａ．ｕ．）を表す。
【００５７】
図４に表したグラフ図では、周波数と陶器の吸音率との関係、周波数とスレート（粘板岩）の吸音率との関係、および、周波数とガルバリウム鋼板（アルミニウム・亜鉛合金めっき鋼板）の吸音率との関係を表している。図４に表したグラフ図によれば、例えば約１４００〜２０００Ｈｚ程度の周波数帯域において、陶器の吸音率は、スレートの吸音率およびガルバリウム鋼板の吸音率よりも高いことが分かる。つまり、陶器の防音性能は、スレートの防音性能およびガルバリウム鋼板の防音性能よりも優れている。
【００５８】
本願明細書において、「吸音率」とは、音波が材料に入射した場合において、入射した音のエネルギーから反射した音のエネルギーを引いた値と、入射した音のエネルギーと、の比をいうものとする。吸音率をαとし、材料の表面に入射する音のエネルギーをＥｒとし、材料の表面から反射する音のエネルギーをＥｉとすると、吸音率は、次式で表される。  
α＝１−Ｅｒ／Ｅｉ
【００５９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便器システム１０および横引排水配管洗浄ユニット１００などが備える各要素の形状、寸法、材質、配置などや小便器１５およびタンク１０５の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６０】
１０ 便器システム、  １３ 給水配管、  １５ 小便器、  １６ 横引排水配管、  １７ 洗浄フラッシュバルブ、  １８ 接合部、  ２０ ライニングユニット、  ２１ 前面、  ２３ パネル、  ３０ 壁面、  １００ 横引排水配管洗浄ユニット、  １０１ 電磁弁、  １０２ 殺菌水生成装置、  １０３ 制御部、  １０５ タンク、  １０５ａ ボールタップ、  １０５ｂ 洗浄レバー、  １０５ｃ 排水弁、  １０５ｄ 排水部、  １０７ 喫水面、  １１０ トラップ配管、  １１１ トラップ配管接続部、  １２０ 通気管、  １２１ 通気管接続部、  １３０ 接続配管、  １３１ 掃除口、  １３４ 接続配管接続部、  １４１ 蓋
【図１】
2015021279.tif 000003
【図２】
2015021279.tif 000004
【図３】
2015021279.tif 000005
【図４】
2015021279.tif 000006